(57)【要約】  【課題】  ポンプの起動時に運転と停止操作を繰り返すことによって、金型温調用の媒体の温度が低い場合でも、オペレータを煩わせることなく金型温調機の運転をスムーズに行えるようにする。  【解決手段】  金型内に設けた通路に媒体をポンプにより循環させて金型の温度調節を行う金型温調機において、前記ポンプの起動時に、該ポンプの運転と停止を任意回数だけ繰り返し行った後、該ポンプの通常運転を行う。前記ポンプの運転時間と停止時間及び繰返し回数を、金型温調機に内蔵された制御装置により設定する。前記ポンプの運転時間と停止時間及び繰返し回数を、金型温調機に内蔵された制御装置により設定する。【選択図】  図３
2005280228.tif 000002
【特許請求の範囲】
【請求項１】
金型内に設けた通路に媒体をポンプにより循環させて金型の温度調節を行う金型温調機において、前記ポンプの起動時に、該ポンプの運転と停止を任意回数だけ繰り返し行った後、該ポンプの通常運転を行うことを特徴とする金型温調機の制御方法。
【請求項２】
前記ポンプの運転時間と停止時間及び繰返し回数は、金型温調機に内蔵された制御装置により設定することを特徴とする請求項１記載の金型温調機の制御方法。
【請求項３】
金型内に設けた通路に媒体をポンプにより循環させて金型の温度調節を行う金型温調機において、前記媒体を油とし、該媒体の温度が予め定められた温度より高い場合のみ、前記ポンプの通常運転を行うことを特徴とする金型温調機の制御方法。
【請求項４】
金型内に設けた通路に媒体をポンプにより循環させて金型の温度調節を行う金型温調機において、前記媒体を油とし、該媒体の温度が前記定められた温度より低い場合は、媒体を加熱するヒータを先行して起動し、媒体の温度が前記定められた温度より高くなった時点からポンプの通常運転を行うことを特徴とする金型温調機の制御方法。
【発明の詳細な説明】
【技術分野】
【０００１】
この発明は、樹脂加工において金型温度を調節する金型温調機、特に油を媒体とする金型温調機の起動時の制御方法に関するものである。
【背景技術】
【０００２】
油を媒体とする金型温調機において、油の温度が低い時に媒体循環のためポンプを起動した場合、油の粘度が高くなっているため、ポンプは通常よりも負荷がかかった状態で運転することとなる。この状態でポンプを連続運転させると、ポンプを駆動しているモータも過負荷の状態が続き、サーマルリレーがトリップして運転停止となることが多い。
【０００３】
通常、金型温調機は使用可能な温度範囲が定められており、この温度範囲を下回る温度の場合は、前記のような不具合が発生するため、オペレータは使用温度範囲内に媒体温度が上回るまで、サーマルリレーのリセットを行いながらポンプの起動をしていた。
【０００４】
また、一般的に金型温調機のポンプとヒータは同時に起動されるか、またはヒータをポンプよりも遅延させて起動させる場合が多く、媒体の温度が使用温度範囲を下回る場合は、金型へ媒体を循環させずに、より太い管路で構成されているバイパス回路を開いて、ポンプの負荷を軽減させながら媒体を循環させ、温度が範囲内に入った時点でバイパス回路を閉じて、金型へ媒体を循環させるようにオペレータが操作をしている場合もある。
【特許文献１】特開２００１−５４９１５号公報
【発明の開示】
【発明が解決しようとする課題】
【０００５】
前記サーマルリレーのリセットを行いながらの運転では、通常運転に至る間、オペレータがサーマルリレーのリセットと、ポンプの起動を短時間毎に繰り返さなければならず、作業効率が非常に悪い。
【０００６】
また、サーマルリレーがトリップしないようモータの定格を上げ、油の粘度が高くても過負荷とならないようにする方法もあるが、通常運転においては、この定格を必要としないため、コストアップ並びに消費エネルギーの増大につながることになる。
【０００７】
更に、油の温度が低く、粘度が高い状態で強制的に循環を続けると、キヤビテーションが起こり、異常音発生や流量不足によるポンプのかじりといった不具合が発生する虞れもある。
【０００８】
この発明は、上記課題を解決するために考えられたものであって、媒体の温度が低い場合でもオペレータを煩わせることなく、スムーズな運転ができる金型温調機の制御方法を提供することを目的とする。
【課題を解決するための手段】
【０００９】
上記目的によるこの発明は、金型内に設けた通路に媒体をポンプにより循環させて金型の温度調節を行う金型温調機において、前記ポンプの起動時に、該ポンプの運転と停止を任意回数だけ繰り返し行った後、該ポンプの通常運転を行うというものであり、前記ポンプの運転時間と停止時間及び繰返し回数は、金型温調機に内蔵された制御装置により設定するというものである。
【００１０】
またこの発明は、金型内に設けた通路に媒体をポンプにより循環させて金型の温度調節を行う金型温調機において、前記媒体を油とし、該媒体の温度が予め定められた温度より高い場合のみ、前記ポンプの通常運転を行うというものである。
【００１１】
またこの発明は、金型内に設けた通路に媒体をポンプにより循環させて金型の温度調節を行う金型温調機において、前記媒体を油とし、該媒体の温度が前記定められた温度より低い場合は、媒体を加熱するヒータを先行して起動し、媒体の温度が前記定められた温度より高くなった時点からポンプの通常運転を行うというものである。
【発明の効果】
【００１２】
上記構成では、サーマルリレーがトリップしない範囲で、ポンプの運転と停止を繰り返すため、サーマルリレーをリセットする操作が発生せず、またヒータを先行させて起動し、媒体の温度を上げてからポンプを通常運転するため、媒体の粘度が高い状態でポンプを運転させることがなくなる。
【００１３】
これによりポンプの過負荷を防ぎ、サーマルリレーもトリップすることがなくなり、媒体の温度によって、媒体を循環させる回路を切り換える必要もなくなるので、金型温調機を起動させてから通常運転に至る間、オペレータを煩わせる操作がなくなるため、作業効率の著しい向上となる。
【００１４】
またサーマルリレーがトリップしないように、オペレータがリレーの設定値を必要以上に高くしてしまうことによる過昇温あるいは火災等の防止ともなる。さらに使用可能温度範囲に入ってからポンプを通常運転させるため、キャビテーションも発生せず、ポンプにも負担が掛からない。さらにまた通常運転に必要なだけのモータの定格で済むため、コストアップを防ぎ、消費エネルギーの抑制ともなる。
【発明を実施するための最良の形態】
【００１５】
図１は金型温調機で、制御装置２と流体回路３とにより構成されている。流体回路３で熱処理された媒体（油）は、送媒管４を通って金型５に送られ、金型５内の温調通路を経由して返媒管６を通り、流体回路３へ戻される。
【００１６】
図２は流体回路３を示すもので、該流体回路３は媒体が蓄えられるタンク７、媒体の熱処理を行うヒータ８、媒体を金型５へ送り出すポンプ９、該ポンプ９の駆動モータ９ａを備えている。バイパス管１０は送媒路４の流通弁１１と返媒路６の流通弁１２の両方が閉じられている場合に、ポンプ９を運転しても媒体の循環ができるように設けられている。このバイパス管１０は媒体昇温中のポンプ９の負荷を軽減するために設けられたものではないので、通常の管路よりも太くする必要はない。
【００１７】
媒体温度と定格温度を比較する場合は、ヒータ８の付近に設けられた熱電対１３によって検出された媒体温度を確認する。これによりヒータ８で加熱された媒体の温度が即座に確認することができる。またポンプ９が起動されて運転に入った場合は、ポンプ９の付近に設けた熱電対１４により検出した温度に基づいて、制御装置２が設定された金型温度を目標として、媒体の温度を制御する。
【００１８】
図３は、第１実施形態で、金型温調機１においてポンプ９を起動した時の動作フローチャートである。金型温調機１のポンプ起動スイッチがＯＮされると、制御装置２にて任意に設定された時間（ステップ２０）、ポンプ９を運転する（ステップ２１）。ポンプ運転時間は、ポンプ９の駆動モータ９ａのサーマルリレーがトリップしない時間であることを必要とする。
【００１９】
ポンプ運転時間がタイムアップすると、制御装置２にて任意に設定された時間（ステップ２２）、ポンプ９を停止する（ステップ２３）。ポンプ停止時間も運転時間と同様に駆動モータ９ａのサーマルリレーがトリップしない時間である必要がある。
【００２０】
ポンプ停止時間がタイムアップすると、カウンタをカウントアップし（ステップ２４）、制御装置２内で設定されたポンプ９の運転と停止の回数分が行われたか否かを碓認する（ステッフ２５）。この設定回数は媒体が使用温度範囲付近まで上昇し、ポンプ駆動モータ９ａのサーマルリレーがトリップしない範囲の回数であることを必要とする。
【００２１】
ポンプ９の運転と停止の回数が設定回数に達していない場合には、もう一度ステップ２０からステップ２４を行い、設定回数に達した場合は、ポンプ９の通常運転に移る（ステップ２６）。この一連の動作は、金型温調機１の起動時のみ行えばよいが、媒体の温度が使用可能温度範囲内であり、ポンプ駆動モータ９ａのサーマルリレーがトリップしない場合は、各設定を０として一連の動作を省略し、通常運転に移行することも可能である。
【００２２】
またポンプ運転時間と停止時間及び繰り返し回数は、制御装置２において設定されたものであっても、予め固定値としておくことも可能であるが、金型温調機１の起動時の媒体温度が一定ではないため、制御装置２において設定された方がより好ましい。
【００２３】
図４は、第２実施形態で、金型温調機１においてポンプ９を起動した時の動作フローチャートである。金型温調機１のポンプ起動スイッチがＯＮされると、制御装置２にて設定された定格温度と、現在の媒体温度の比較が行われる（ステップ３０）。
【００２４】
現存の媒体温度が定格温度よりも高い場合は、通常運転となってポンプ９が起動する（ステップ３１）。
【００２５】
現在の媒体温度が定格温度よりも低い場合は、媒体の温度を上げるため、ヒータ８を先行して起動させ（ステップ３２）、ポンプ９は起動させない（ステップ３３）。この時、制御装置２にてオペレータに媒体の加熱中であることを知らせる表示等を行ってもよく．ヒータ８により加熱された媒体の温度が、定格温度よりも高くなった時点で、ポンプ９を起動してステップ３１の通常運転となる。
【００２６】
ポンプ９を運転させることで、流体回路３内を媒体が循環するが、循環することにより管路にあった媒体が戻り、媒体の温度が定格温度を下回った場合は、再度ステップ３２，３３を行い、ポンプ９を停止させてヒータ８により媒体を加熱する。媒体の温度が定格温度より高くなった時点で、再びポンプ９を起動させて通常運転に移行する。
【００２７】
定格温度は、制御装置２において設定されてもよいし、また予め固定値としておいてもよい。この温度は媒体の粘度が高くポンプ９が過負荷状態で動作する温度ではなく、ポンプ９が定格で動作できる範囲で定めることが必要である。
【００２８】
図５は、第３実施形態で、ポンプ９の起動とヒータ８の起動が別スイッチで行われる場合のフローチャートである。ヒータ起動スイッチがＯＮされた時は、ヒータ８を起動する（ステップ４０，４１）。ポンプ起動スイッチがＯＮされた時は、制御装置２において設定された定格温度と、現在の媒体温度とが比較される（ステップ４２，４３）。
【００２９】
媒体温度が定格温度よりも低い場合は、ポンプ起動スイッチのＯＮを無効にする。または該スイッチをＯＦＦにして、ポンプ９を起動させないという安全処理を入れることもできる（ステップ４４）。この場合、オペレータは媒体温度が定格温度よりも高くなったことを確認した上で、ポンプ起動スイッチを再度ＯＮすることによりポンプ９を起動することができる（ステップ４５）。
【００３０】
前記のような安全処理を入れることにより、媒体温度が低い場合にオペレータがポンプ９を起動させようとしても起動しないため、ポンプ９に負荷がかからず、媒体温度が上がってからポンプ９を運転させることが確実にできるようになる。またポンプ９の起動と、ヒータ８の起動が別スイッチの場合でも、前記実施形態のように媒体の温度が上がった時点で自動的にポンプ９を運転させても、勿論よい。
【００３１】
また前記２つの実施形態を組み合わせて使用することも可能である。ポンプ起軌スイッチがＯＮされた場合、現在温度と定格温度を比較し、定格温度を下回っていた時は、ヒータ８を先行して起動させ、定格温度まで上がった時に、ポンプ９の運転と停止を回数分繰り返してから通常運転に移るというものである。さらに第３実施形態のポンプ９とヒータ８の起動スイッチが別である場合を組み合わせてもよい。
【図面の簡単な説明】
【００３２】
【図１】一般的な金型温調機と金型の略示説明図である。
【図２】この発明の金型温調機の制御方法を実施することができる流体回路図である。
【図３】この発明の第１実施形態のフローチャートである。
【図４】この発明の第２実施形態のフローチャートである。
【図５】この発明の第３実施形態のフローチャートである。
【符号の説明】
【００３３】
１    金型温調機
２    制御装置
３    流体回路
４    送媒管
５    金型
６    返媒管
７    媒体のタンク
８    ヒータ
９    ポンプ
９ａ  ポンプの駆動モータ
１０    バイパス管
【図１】
2005280228.tif 000003
【図２】
2005280228.tif 000004
【図３】
2005280228.tif 000005
【図４】
2005280228.tif 000006
【図５】
2005280228.tif 000007